(57)【要約】【課題】貨幣処理部の異常状態が発生したとしても、その異常状態が電源電圧異常に起因したか否かが判別可能となる。【解決手段】紙幣の入金処理又は出金処理を実行する紙幣処理部６０と、紙幣処理部６０に対して商用電源３０からの電力を供給する主電源部４０と、商用電源３０及び主電源部４０間の電源電圧を監視する電圧監視部５０と、紙幣処理部６０の異常状態に関するログデータを記憶する異常ログ記憶部７２と、紙幣処理部６０での異常状態が検出されたとき、電圧監視部５０に対して異常状態検出の時間帯での電源電圧異常に関わる電圧異常データを、異常状態に関するログデータと関連付けて異常ログ記憶部７２に記憶する制御部７３とを有している。【選択図】図２
2010282428.tif 000002
【特許請求の範囲】
【請求項１】
貨幣の入金処理又は出金処理を実行する貨幣処理部と、
前記貨幣処理部に対して電力を供給する電源部と、
前記電源部の電源電圧を監視する電圧監視部と、
異常状態に関するログデータを記憶する記憶部と、
前記貨幣処理部での異常状態が検出されたとき、前記電圧監視部の監視結果である電圧監視情報を、前記異常状態に関するログデータと関連付けて前記記憶部に記憶させる制御部と
を有することを特徴とする貨幣処理装置。
【請求項２】
前記制御部は、
前記貨幣処理部での前記異常状態が検出されたとき、前記電圧監視部の監視結果が電源電圧異常の電圧監視情報でなかった場合、前記異常状態に関するログデータと関連付けての当該電圧監視情報の前記記憶部への記憶を禁止することを特徴とする請求項１記載の貨幣処理装置。
【請求項３】
前記制御部は、
前記貨幣処理部での前記異常状態が検出されたとき、この周辺時間帯での前記電圧監視部の監視結果から電源電圧異常の電圧監視情報を検索し、この電源電圧異常の電圧監視情報があった場合、この電源電圧異常の電圧監視情報を、前記異常状態に関するログデータと関連付けて前記記憶部に記憶させることを特徴とする請求項１又は２記載の貨幣処理装置。
【請求項４】
前記制御部は、
前記貨幣処理部での前記異常状態が事後検出されたとき、この異常状態発生時刻の周辺時間帯での前記電圧監視部の監視結果から電源電圧異常の電圧監視情報を検索し、この電源電圧異常の電圧監視情報があった場合、この電源電圧異常の電圧監視情報を、前記異常状態に関するログデータと関連付けて前記記憶部に記憶させることを特徴とする請求項１又は２記載の貨幣処理装置。
【請求項５】
前記記憶部は、
前記電圧監視部からの前記電圧監視情報を順次記憶する電圧監視情報記憶部と、
前記異常状態に関わるログデータを記憶するログ記憶部と
を有し、
前記制御部は、
前記貨幣処理部での異常状態が検出されたとき、この周辺時間帯での前記電源電圧異常の電圧監視情報を前記電圧監視情報記憶部から検索し、この検索した電源電圧異常の電圧監視情報を前記ログデータに関連付けて前記ログ記憶部に記憶させることを特徴とする請求項１又は２記載の貨幣処理装置。
【請求項６】
前記制御部は、
前記貨幣処理部での前記異常状態が事後検出されたとき、この異常状態発生時刻の周辺時間帯での前記電源電圧異常の電圧監視情報を前記電圧監視情報記憶部から検索し、この検索した電源電圧異常の電圧監視情報を、前記異常状態に関するログデータと関連付けて前記ログ記憶部に記憶させることを特徴とする請求項５記載の貨幣処理装置。
【請求項７】
前記貨幣処理部は、
前記貨幣の種別を識別する識別部を有し、
前記貨幣処理部の異常状態は、
前記識別部の識別エラーとしたことを特徴とする請求項１〜６の何れか一項に記載の貨幣処理装置。
【請求項８】
前記貨幣処理部は、
前記貨幣を所定搬送先に電磁動作で振り分ける分岐部を有し、
前記貨幣処理部の異常状態は、
前記分岐部の分岐エラーとしたことを特徴とする請求項１〜６の何れか一項に記載の貨幣処理装置。
【請求項９】
前記貨幣処理装置内部のメカ機構を制御するメカ制御部を有し、
前記貨幣処理部の異常状態は、
前記メカ制御部のエラーとしたことを特徴とする請求項１〜６の何れか一項に記載の貨幣処理装置。
【請求項１０】
前記貨幣処理部は、
前記貨幣の種別を識別する識別部を有し、
前記貨幣処理部の異常状態は、
前記識別部の識別不能の回数が連続して所定回数に到達した場合の識別不能エラーとしたことを特徴とする請求項１〜６の何れか一項に記載の貨幣処理装置。
【請求項１１】
前記電圧監視情報は、
電圧監視時刻と、この電圧監視時刻に検出した電圧詳細情報とを含むことを特徴とする請求項１〜１０の何れか一項に記載の貨幣処理装置。
【請求項１２】
前記電圧監視情報は、
電圧監視時刻と、
この電圧監視時刻に検出した電圧詳細情報と、
この電圧詳細情報に関わる電圧異常有無を示すフラグと
を含み、
前記制御部は、
前記フラグに基づき、前記電圧監視部の監視結果から前記電源電圧異常の前記電圧監視情報を検索することを特徴とする請求項１〜１０の何れか一項に記載の貨幣処理装置。
【請求項１３】
前記電圧詳細情報は、
前記電源電圧のアナログ波形としたことを特徴とする請求項１１又は１２記載の貨幣処理装置。
【請求項１４】
前記電圧監視部は、
前記電源電圧のアナログ波形が所定基準波形から所定閾値を超えて乖離した場合、電源電圧異常と判断することを特徴とする請求項１〜１３の何れか一項に記載の貨幣処理装置。
【請求項１５】
貨幣の入金処理又は出金処理を実行する貨幣処理部と、前記貨幣処理部に対して電力を供給する電源部とを有する貨幣処理装置の電圧異常ログ管理方法であって、
前記電源部の電源電圧を監視する電圧監視ステップと、
異常状態に関するログデータを記憶部に記憶する記憶ステップと、
前記貨幣処理部での異常状態が検出されたとき、前記電圧監視ステップの監視結果である電圧監視情報を、前記異常状態に関するログデータと関連付けて前記記憶部に記憶させる制御ステップと
を含むことを特徴とする貨幣処理装置の電圧異常ログ管理方法。
【発明の詳細な説明】
【技術分野】
【０００１】
本発明は、貨幣の入金処理又は出金処理を実行する貨幣処理機能を備えた貨幣処理装置及び貨幣処理装置の電圧異常ログ管理方法に関する。
【背景技術】
【０００２】
従来、電源電圧の電圧変動を監視する電圧監視装置が各種技術分野で普及している（例えば、特許文献１参照）。
【０００３】
また、家電機器等の技術分野では、インバータ電源に供給される商用電源の電源電圧を監視する電源異常検出回路を備え、電源異常検出回路にて商用電源の過電圧を検出すると、インバータ電源を一時的に停止する技術が知られている（例えば、特許文献２参照）。
【０００４】
また、貨幣処理装置でも、電源電圧を監視する電源電圧監視機能を備え、電源電圧の変動を検出すると、商用電源から補助電源に切り替え、補助電源から安定電力を供給できる装置が知られている（例えば、特許文献３参照）。
【先行技術文献】
【特許文献】
【０００５】
【特許文献１】特開平８−１６３７７３号公報（要約書及び図１参照）
【特許文献２】特開平７−１７６３７９号公報（要約書及び図１参照）
【特許文献３】特許第２７７８１７７号公報（請求項１及び第３図参照）
【発明の概要】
【発明が解決しようとする課題】
【０００６】
しかしながら、上記従来の貨幣処理装置では、電源電圧監視機能を備えているものの、実際に貨幣処理部内部の識別部の紙幣種別識別エラーや分岐部の分岐エラー等の異常状態が発生したとしても、電源電圧変動に起因する異常状態であるか否かまでは判別できておらず、例えば、列車の運行状況に応じて大きな電圧変動を生じるような駅構内や、電力事情の良くない諸外国等の電圧変動が発生しやすい環境下では、貨幣処理部の異常状態が電源電圧異常に起因したか否かまでは判別できていないのが実情である。
【０００７】
更に、今後、電源電圧異常に起因する貨幣処理部の異常状態防止に対する対策を講じる必要が求められている。
【０００８】
本発明は上記点に鑑みてなされたものであり、その目的とするところは、貨幣処理部の異常状態が発生したとしても、その異常状態が電源電圧異常に起因したか否かを判別可能とし、今後、電源電圧異常に起因する貨幣処理部の異常状態防止に対する対策検討に大いに役立つことができる貨幣処理装置及び貨幣処理装置の電圧異常ログ管理方法を提供することにある。
【課題を解決するための手段】
【０００９】
上記目的を達成するために本発明の貨幣処理装置は、貨幣の入金処理又は出金処理を実行する貨幣処理部と、前記貨幣処理部に対して電力を供給する電源部と、前記電源部の電源電圧を監視する電圧監視部と、異常状態に関するログデータを記憶する記憶部と、前記貨幣処理部での異常状態が検出されたとき、前記電圧監視部の監視結果である電圧監視情報を、前記異常状態に関するログデータと関連付けて前記記憶部に記憶させる制御部とを有するようにした。
【００１０】
また、本発明の貨幣処理装置は、上記発明の構成において、前記制御部は、前記貨幣処理部での前記異常状態が検出されたとき、前記電圧監視部の監視結果が電源電圧異常の電圧監視情報でなかった場合、前記異常状態に関するログデータと関連付けての当該電圧監視情報の前記記憶部への記憶を禁止するようにした。
【００１１】
また、本発明の貨幣処理装置は、上記発明の構成において、前記制御部は、前記貨幣処理部での前記異常状態が検出されたとき、この周辺時間帯での前記電圧監視部の監視結果から電源電圧異常の電圧監視情報を検索し、この電源電圧異常の電圧監視情報があった場合、この電源電圧異常の電圧監視情報を、前記異常状態に関するログデータと関連付けて前記記憶部に記憶させるようにした。
【００１２】
また、本発明の貨幣処理装置は、上記発明の構成において、前記制御部は、前記貨幣処理部での前記異常状態が事後検出されたとき、この異常状態発生時刻の周辺時間帯での前記電圧監視部の監視結果から電源電圧異常の電圧監視情報を検索し、この電源電圧異常の電圧監視情報があった場合、この電源電圧異常の電圧監視情報を、前記異常状態に関するログデータと関連付けて前記記憶部に記憶させるようにした。
【００１３】
また、本発明の貨幣処理装置は、上記発明の構成において、前記記憶部は、前記電圧監視部からの前記電圧監視情報を順次記憶する電圧監視情報記憶部と、前記異常状態に関わるログデータを記憶するログ記憶部とを有し、前記制御部は、前記貨幣処理部での異常状態が検出されたとき、この周辺時間帯での前記電源電圧異常の電圧監視情報を前記電圧監視情報記憶部から検索し、この検索した電源電圧異常の電圧監視情報を前記ログデータに関連付けて前記ログ記憶部に記憶させるようにした。
【００１４】
また、本発明の貨幣処理装置は、上記発明の構成において、前記制御部は、前記貨幣処理部での前記異常状態が事後検出されたとき、この異常状態発生時刻の周辺時間帯での前記電源電圧異常の電圧監視情報を前記電圧監視情報記憶部から検索し、この検索した電源電圧異常の電圧監視情報を、前記異常状態に関するログデータと関連付けて前記ログ記憶部に記憶させるようにした。
【００１５】
また、本発明の貨幣処理装置は、上記発明の構成において、前記貨幣処理部は、前記貨幣の種別を識別する識別部を有し、前記貨幣処理部の異常状態は、前記識別部の識別エラーとした。
【００１６】
また、本発明の貨幣処理装置は、上記発明の構成において、前記貨幣処理部は、前記貨幣を所定搬送先に電磁動作で振り分ける分岐部を有し、前記貨幣処理部の異常状態は、前記分岐部の分岐エラーとした。
【００１７】
また、本発明の貨幣処理装置は、上記発明の構成において、前記貨幣処理装置内部のメカ機構を制御するメカ制御部を有し、前記貨幣処理部の異常状態は、前記メカ制御部のエラーとした。
【００１８】
また、本発明の貨幣処理装置は、上記発明の構成において、前記貨幣処理部は、前記貨幣の種別を識別する識別部を有し、前記貨幣処理部の異常状態は、前記識別部の識別不能の回数が連続して所定回数に到達した場合の識別不能エラーとした。
【００１９】
また、本発明の貨幣処理装置は、上記発明の構成において、前記電圧監視情報は、電圧監視時刻と、この電圧監視時刻に検出した電圧詳細情報とを含むようにした。
【００２０】
また、本発明の貨幣処理装置は、上記発明の構成において、前記電圧監視情報が、電圧監視時刻と、この電圧監視時刻に検出した電圧詳細情報と、この電圧詳細情報に関わる電圧異常有無を示すフラグとを含み、前記制御部は、前記フラグに基づき、前記電圧監視部の監視結果から前記電源電圧異常の前記電圧監視情報を検索するようにした。
【００２１】
また、本発明の貨幣処理装置は、上記発明の構成において、前記電圧詳細情報が、前記電源電圧のアナログ波形とした。
【００２２】
また、本発明の貨幣処理装置は、上記発明の構成において、前記電圧監視部は、前記電源電圧のアナログ波形が所定基準波形から所定閾値を超えて乖離した場合、電源電圧異常と判断するようにした。
【００２３】
また、上記目的を達成するために本発明の貨幣処理装置の電圧異常ログ管理方法は、貨幣の入金処理又は出金処理を実行する貨幣処理部と、前記貨幣処理部に対して電力を供給する電源部とを有する貨幣処理装置の電圧異常ログ管理方法であって、前記電源部の電源電圧を監視する電圧監視ステップと、異常状態に関するログデータを記憶部に記憶する記憶ステップと、前記貨幣処理部での異常状態が検出されたとき、前記電圧監視ステップの監視結果である電圧監視情報を、前記異常状態に関するログデータと関連付けて前記記憶部に記憶させる制御ステップとを含むようにした。
【発明の効果】
【００２４】
上記のように構成された貨幣処理装置では、貨幣処理部での異常状態が検出されたとき、電圧監視部の監視結果である電圧監視情報を、前記異常状態に関するログデータと関連付けて記憶部に記憶する。その結果、本発明では、貨幣処理部の異常状態が発生したとしても、貨幣処理部の異常状態と電源電圧異常との関連性根拠を確保しながら、貨幣処理部の異常状態が電源電圧異常に起因したか否かを判別可能とし、これら関連性を評価することで、今後、電源電圧異常に起因する貨幣処理部の異常状態防止に対する対策検討に大いに役立つという効果を奏する。
【００２５】
また、本発明の貨幣処理装置では、上記発明の効果に加えて、貨幣処理部での異常状態が検出されたとしても、電源電圧異常の電圧監視情報でなかった場合、当該電圧監視情報と異常状態に関するログデータとを関連付けての記憶を禁止する。その結果、本発明では、電源電圧異常がなく、貨幣処理部の異常状態と電源電圧異常との関連性がないような無駄な記憶を防止することで、記憶部に対する記憶容量の節減を図るという効果を奏する。
【００２６】
また、本発明の貨幣処理装置では、上記発明の効果に加えて、貨幣処理部での異常状態が検出されたときの周辺時間帯での電源電圧異常の電圧監視情報があった場合、この電源電圧異常の電圧監視情報を、前記異常状態に関するログデータと関連付けて記憶部に記憶する。その結果、本発明では、貨幣処理部の異常状態が発生したとしても、貨幣処理部の異常状態と、その周辺時間帯での電源電圧異常の電圧監視情報との関連性根拠を確保しながら、貨幣処理部の異常状態が電源電圧異常に起因したか否かを判別可能とし、これら関連性を評価することで、今後、電源電圧異常に起因する貨幣処理部の異常状態防止に対する対策検討に大いに役立つという効果を奏する。
【００２７】
また、本発明の貨幣処理装置では、上記発明の効果に加えて、貨幣処理部での異常状態が事後検出されたとしても、この異常状態発生時刻の周辺時間帯での電源電圧異常の電圧監視情報があった場合、この電源電圧異常の電圧監視情報を、異常状態に関するログデータと関連付けて記憶部に記憶する。その結果、本発明では、貨幣処理部の異常状態の発生が事後に判明したとしても、貨幣処理部の異常状態と、その周辺時間帯での電源電圧異常の電圧監視情報との関連性根拠を確保しながら、事後に判明した異常状態が電源電圧異常に起因したか否かを判別可能とし、今後、電源電圧異常に起因する貨幣処理部の異常状態防止に対する対策検討にも大いに役立つという効果を奏する。
【００２８】
また、本発明の貨幣監視装置では、上記発明の効果に加えて、貨幣処理部での異常状態が検出された周辺時間帯での電源電圧異常の電圧監視情報を電圧監視情報記憶部から検索し、この検索した電源電圧異常の電圧監視情報をログデータに関連付けて記憶する。その結果、本発明では、貨幣処理部の異常状態が発生したとしても、貨幣処理部の異常状態と電源電圧異常の電圧監視情報との関連性根拠を確保しながら、その異常状態が電源電圧異常に起因したか否かを判別可能とし、今後、電源電圧異常に起因する貨幣処理部の異常状態防止に対する対策検討に大いに役立つという効果を奏する。
【００２９】
また、本発明の貨幣処理装置では、上記発明の効果に加えて、貨幣処理部での異常状態が事後検出されたとしても、この異常状態発生時刻の周辺時間帯で電源電圧異常の電圧監視情報があった場合、この電源電圧異常の電圧監視情報を、前記異常状態に関するログデータと関連付けてログ記憶部に記憶する。その結果、本発明では、貨幣処理部の異常状態の発生が事後に判明したとしても、貨幣処理部の異常状態と、その周辺時間帯での電源電圧異常の電圧監視情報との関連性根拠を確保しながら、事後に判明した異常状態が電源電圧異常に起因したか否かを判別可能とし、今後、電源電圧異常に起因する貨幣処理部の異常状態防止に対する対策検討に大いに役立つという効果を奏する。
【００３０】
また、本発明の貨幣処理装置では、上記発明の効果に加えて、識別部の識別エラーが発生したとしても、この識別エラーと電源電圧異常の電圧監視情報との関連性根拠を確保しながら、その識別エラーが電源電圧異常に起因したか否かを判別可能とし、今後、電源電圧異常に起因する識別エラー防止に対する対策検討に大いに役立つという効果を奏する。
【００３１】
また、本発明の貨幣処理装置では、上記発明の効果に加えて、分岐部の分岐エラーが発生したとしても、この分岐エラーと電源電圧異常の電圧監視情報との関連性根拠を確保しながら、その分岐エラーが電源電圧異常に起因したか否かを判別可能とし、今後、電源電圧異常に起因する分岐エラー防止に対する対策検討に大いに役立つという効果を奏する。
【００３２】
また、本発明の貨幣処理装置では、上記発明の効果に加えて、メカ制御部のエラーが発生したとしても、このメカ制御エラーと電源電圧異常の電圧監視情報との関連性根拠を確保しながら、そのメカ制御エラーが電源電圧異常に起因したか否かを判別可能とし、今後、電源電圧異常に起因するメカ制御エラー防止に対する対策検討に大いに役立つという効果を奏する。
【００３３】
また、本発明の貨幣処理装置では、上記発明の効果に加えて、例えば、リジェクト等の識別不能エラーが発生したとしても、この識別不能エラーと電源電圧異常の電圧監視情報との関連性根拠を確保しながら、その識別不能エラーが電源電圧異常に起因したか否かを判別可能とし、今後、電源電圧異常に起因する識別不能エラー防止に対する対策検討に大いに役立つという効果を奏する。
【００３４】
また、本発明の貨幣処理装置では、上記発明の効果に加えて、電圧監視情報が電圧監視時刻及び、この電圧監視時刻に検出した電圧詳細情報を含むようにしたので、電源電圧異常を含む電源電圧を電圧監視時刻単位で認識できるという効果を奏する。
【００３５】
また、本発明の貨幣処理装置では、上記発明の効果に加えて、電圧監視情報が、電圧監視時刻、電圧詳細情報及びフラグを含むようにしたので、フラグに基づき、電圧監視部の監視結果から電源電圧異常の電圧監視情報を簡単に検索できるという効果を奏する。
【００３６】
また、本発明の貨幣処理装置では、上記発明の効果に加えて、電圧詳細情報を電源電圧のアナログ波形とするため、貨幣処理部の異常状態に対応した電源電圧異常をアナログ波形で認識できるという効果を奏する。
【００３７】
また、本発明の貨幣処理装置は、上記発明の効果に加えて、電源電圧のアナログ波形が所定基準波形から所定閾値を超えて乖離した場合、電源電圧異常と判断することで、電源電圧の電源電圧異常を簡単に認識できるという効果を奏する。
【００３８】
また、上記のように構成された本発明の貨幣処理装置の電圧異常ログ管理方法では、貨幣処理部での異常状態が検出されたとき、電圧監視部の監視結果である電圧監視情報を、異常状態に関するログデータと関連付けて記憶部に記憶する。その結果、本発明では、貨幣処理部の異常状態が発生したとしても、貨幣処理部の異常状態と電源電圧異常との関連性根拠を確保しながら、貨幣処理部の異常状態が電源電圧異常に起因したか否かを判別可能とし、これら関連性を評価することで、今後、電源電圧異常に起因する貨幣処理部の異常状態防止に対する対策検討に大いに役立つという効果を奏する。
【図面の簡単な説明】
【００３９】
【図１】図１は、本実施例の紙幣処理装置内部の概略構成を示す説明図である。
【図２】図２は、紙幣処理装置内部の概略構成を示すブロック図である。
【図３】図３は、電圧監視部で監視する電源電圧波形を示す説明図である。
【図４】図４は、電圧監視部で全波整流した電源電圧波形を示す説明図である。
【図５】図５は、電圧監視部のサンプリング動作を端的に示す説明図である。
【図６】図６は、電圧監視部の電源電圧データ記憶処理に関わる電圧監視制御部内部の処理動作を示すフローチャートである。
【図７】図７は、メイン制御部の電圧異常データ要求処理に関わる制御部内部の処理動作を示すフローチャートである。
【図８】図８は、電圧監視部の電圧異常データ要求応答処理に関わる電圧監視制御部内部の処理動作を示すフローチャートである。
【発明を実施するための形態】
【００４０】
以下、図面に基づき本発明の貨幣処理装置に関わる実施例を示す紙幣処理装置について詳細に説明する。
【００４１】
まず、最初に本実施例の概要を説明するとすれば、その概要は、貨幣の入金処理又は出金処理を実行する貨幣処理部と、貨幣処理部に対して電力を供給する電源部とを有する貨幣処理装置であって、電源部の電源電圧を監視する電圧監視部と、異常状態に関するログデータを記憶する記憶部と、貨幣処理部での異常状態が検出されたとき、電圧監視部の監視結果である電源電圧データを、異常状態に関するログデータと関連付けて記憶部に記憶させる制御部とを有するものである。
【００４２】
そして、貨幣処理装置は、貨幣処理部での異常状態が検出されたとき、電圧監視部の電源電圧データを、異常状態に関するログデータと関連付けて記憶部に記憶する。
【００４３】
その結果、貨幣処理装置では、貨幣処理部の異常状態が発生したとしても、貨幣処理部の異常状態と電源電圧異常との関連性根拠を確保しながら、貨幣処理部の異常状態が電源電圧異常に起因したか否かを判別可能とし、これら関連性を評価することで、今後、電源電圧異常に起因する貨幣処理部の異常状態防止に対する対策検討に大いに役立つというものである。
【実施例】
【００４４】
図１は、本実施例の紙幣処理装置内部の概略構成を示す説明図である。
【００４５】
図１に示す紙幣処理装置１は、例えば、列車の運行状況に応じて電源電圧が大きく変動する環境下の駅構内に配置し、主に紙幣の入金処理又は出金処理を実行する装置である。
【００４６】
紙幣処理装置１は、紙幣を入金する入金口１１と、入金口１１から入金した紙幣を搬送する搬送部１２と、この搬送部１２にて搬送中の入金紙幣の種別を識別する入金識別部１３と、入金識別部１３の紙幣種別、例えば、表裏情報に基づき、搬送部１２で搬送した紙幣の表面及び裏面の内、何れか一方の特定面に向けるように紙幣を反転する表裏反転部１４とを有している。
【００４７】
更に、紙幣処理装置１は、入金識別部１３の紙幣種別、例えば、金種毎に入金紙幣を一時保留する５個の一時保留部１５と、一時保留部１５で保留した入金紙幣を集積する５個の集積部１６と、出金指示に応じて集積部１６に集積された各金種の紙幣を出金する際、出金紙幣の種別を識別する出金識別部１７と、この出金識別部１７にて識別した出金紙幣を出金する出金口１８とを有している。
【００４８】
尚、集積部１６は、第１集積部１６Ａ〜第５集積部１６Ｅまでの５個の集積部１６で構成し、例えば、第１集積部１６Ａに日本円の千円紙幣、第２集積部１６Ｂに２千円紙幣、第３集積部１６Ｃに５千円紙幣、第４集積部１６Ｄに１万円紙幣を集積し、第５集積部１６Ｅに第１集積部１６Ａ〜第４集積部１６Ｄで満杯になった紙幣を混合紙幣として集積するものである。
【００４９】
更に、紙幣処理装置１は、紙幣を搬送する搬送路１２Ａ上に配置し、搬送紙幣の通過等を検知する複数の検知センサ１９と、搬送路１２Ａ上に配置し、搬送紙幣を振り分ける複数の分岐部２０とを有している。尚、分岐部２０は、検知センサ１９を通じて搬送紙幣の先端の進入を検知すると、図示せぬソレノイドが駆動することで搬送紙幣を振り分けるものである。
【００５０】
また、紙幣処理装置１は、入金識別部１３にて入金紙幣の識別不能を検知すると、その入金紙幣をリジェクト部２１に搬送するものである。
【００５１】
紙幣処理装置１は、商用電源３０からの商用電力を直流変換して、紙幣処理装置１全体に電力を供給する主電源部４０と、商用電源３０からの電源電圧を監視する電圧監視部５０と、紙幣処理を実行する紙幣処理部６０と、この紙幣処理装置１全体を制御するメイン制御部７０とを有している。尚、紙幣処理は、例えば、搬送部１２、表裏反転部１４、入金識別部１３、分岐部２０、検知センサ１９、集積部１６及び出金識別部１７等の紙幣に関わる処理である。  
【００５２】
図２は、紙幣処理装置１内部の概略構成を示すブロック図である。
【００５３】
図２に示す紙幣処理装置１は、主電源部４０、電圧監視部５０、紙幣処理部６０及びメイン制御部７０を有し、メイン制御部７０は、紙幣処理部６０の異常状態を検出する異常検出部７１と、紙幣処理部６０の異常状態に関わる異常検出ログ等を記憶する異常ログ記憶部７２と、このメイン制御部７０全体を制御する制御部７３とを有している。
【００５４】
紙幣処理部６０は、図１に示す搬送部１２、入金識別部１３、表裏反転部１４、検知センサ１９、分岐部２０、集積部１６及び出金識別部１７等を有している。
【００５５】
異常検出部７１は、紙幣処理部６０の異常状態、例えば、入金識別部１３や出金識別部１７の紙幣識別エラーや、表裏反転部１４の紙幣反転エラー、搬送部１２の搬送エラー、検知センサ１９の検知エラー、分岐部２０の分岐エラー、集積部１６の集積エラー、入金識別部１３の識別不能（リジェクト）を所定回数連続して検出する識別不能エラー等に相当するものである。
【００５６】
更に、異常ログ記憶部７２は、紙幣処理部６０の異常状態に関わる異常検出ログ７２Ａと、異常検出ログ７２Ａに対応する電圧異常データ７２Ｂとを記憶する。尚、異常検出ログ７２Ａとは、紙幣処理部６０の異常状態の検出時刻を示す異常検出時刻７２Ｃと、この異常状態の内容を示すエラー内容７２Ｄとを有している。更に、電圧異常データ７２Ｂは、紙幣処理部６０の異常状態に関わる異常検出時刻７２Ｃ付近の時間帯の電源電圧の異常に関わるデータに相当し、その時間帯の電源電圧異常の電圧監視時刻を示す時刻データ７２Ｅと、その電源電圧異常の電源電圧波形を示す波形データ７２Ｆとを有している。
【００５７】
電圧監視部５０は、電源電圧波形のゼロクロス位置を検出するゼロクロス検出部５１と、電源電圧波形を所定タイミングで所定個数の実サンプリング値を検出するサンプリング検出部５２と、正常な電源電圧波形の所定タイミングに関わる所定個数の基準サンプリング値を基準波形データとして予め記憶する基準波形データメモリ５３とを有している。
【００５８】
更に、電圧監視部５０は、サンプリング検出部５２にて検出した実サンプリング値と基準波形データメモリ５３に記憶された基準サンプリング値との比較結果に基づき、電源電圧が異常であるか否かを判定する電圧判定部５４と、電圧判定部５４の判定結果を管理する電圧記憶部５５と、電圧監視部５０全体を制御する電圧監視制御部５６とを有している。
【００５９】
図３は、電圧監視部５０で監視する電源電圧波形を示す説明図、図４は、電圧監視部５０で全波整流した電源電圧波形を示す説明図、図５は、電圧監視部５０のサンプリング動作を端的に示す説明図である。
【００６０】
電圧監視部５０のゼロクロス検出部５１は、図３に示す電源電圧波形１００の半周期毎のゼロクロス位置１０１を順次検出するものである。
【００６１】
また、電圧監視部５０のサンプリング検出部５２は、図３に示す電源電圧波形１００を図４に示すように全波整流した後、図５に示すようにゼロクロス位置１０１から次のゼロクロス位置１０１までの半周期分の電源電圧波形１００を所定タイミングで、例えば、９個の実サンプリング値Ｘ（Ｘ１〜Ｘ９）を順次取得するものである。
【００６２】
更に、電圧監視部５０の電圧判定部５４は、半周期内の実サンプリング値Ｘを取得すると、例えば、実サンプリング値Ｘ２の場合、実サンプリング値Ｘ２と同一タイミングの基準波形データメモリ５３に記憶された基準サンプリング値とを比較し、実サンプリング値Ｘ２が基準サンプリング値の基準閾値範囲内にあるか否かを判定するものである。尚、基準閾値範囲は、基準上限閾値１００Ａ及び基準下限閾値１００Ｂの範囲内に相当するものである。
【００６３】
電圧判定部５４は、実サンプリング値Ｘが基準サンプリング値の基準閾値範囲内にある場合、電源電圧が正常との判断結果を電圧監視制御部５６に通知するものである。
【００６４】
また、電圧判定部５４は、実際サンプリング値Ｘが基準サンプリング値の基準閾値１００Ａ内から外れた場合、電源電圧が異常との判断結果を電圧監視制御部５６に通知するものである。
【００６５】
電圧監視制御部５６は、電源電圧のゼロクロス位置１０１を検出すると、電源電圧の電圧監視時刻を示す時刻データ５５Ｂと、電源電圧の電源電圧波形１００を示す波形データ５５Ｃと、電圧判定部５４の判定結果を示す異常フラグ５５Ａとを対応付けて電圧記憶部５５に記憶するものである。
【００６６】
尚、異常フラグ５５Ａは、電圧判定部５４の判定結果が電源電圧正常の場合、“０”を立て、電圧判定部５４の判定結果が電源電圧異常の場合、“１”を立てるものである。
【００６７】
つまり、電圧監視制御部５６では、電源電圧波形１００のゼロクロス位置１０１を検出すると、電源電圧の電圧監視時刻を示す時刻データ５５Ｂと、その電源電圧の電源電圧波形を示す波形データ５５Ｃと、その電源電圧の異常有無を示す異常フラグ５５Ａとを対応付けて電圧記憶部５５に順次記憶するものである。
【００６８】
尚、電圧監視制御部５６は、例えば、１日分の電源電圧データを電圧記憶部５５に記憶すると共に、２日目以降の電源電圧データは電圧異常、すなわち異常フラグ５５Ａが“１”の電源電圧データのみを記憶保持し、電圧正常、すなわち異常フラグ５５Ａが“０”の電源電圧データは消去するものとする。
【００６９】
また、メイン制御部７０側の制御部７３は、異常ログ記憶部７２を記憶制御するログ記憶制御部７３Ａを有し、異常検出部７１を通じて紙幣処理部６０の異常状態を検出すると、電圧監視部５０に対して異常状態発生時付近の時間帯に関わる電源電圧異常を問い合せる電圧異常データ要求を通知するものである。尚、電圧異常データ要求には、異常状態検出時の異常検出時刻７２Ｃを含むものである。
【００７０】
また、電圧監視部５０内の電圧監視制御部５６は、メイン制御部７０からの電圧異常データ要求を受信すると、電圧異常データ要求に含まれる異常検出時刻７２Ｃ付近の電圧監視時刻に関わる時刻データ５５Ｂの電源電圧データを電圧記憶部５５内から検索するものである。
【００７１】
更に、電圧監視制御部５６は、その検索結果である異常検出時刻７２Ｃ付近の時刻データ５５Ｂの電源電圧データの内、電源電圧異常の異常フラグ“１”の電源電圧データを検索するものである。
【００７２】
更に、電圧監視制御部５６は、電源電圧異常の異常フラグ“１”の電源電圧データを検索すると、この電源電圧データを電圧異常データとしてメイン制御部７０に通知するものである。尚、電圧異常データには、時刻データ５５Ｂ及び波形データ５５Ｃを含むものである。
【００７３】
更に、メイン制御部７０内の制御部７３は、電圧異常データ要求に対する電圧監視部５０からの電圧異常データを検出すると、電圧異常データ要求に関わる異常ログ記憶部７２内の異常検出ログ７２Ａに対応付けて電圧異常データ７２Ｂを記憶するものである。つまり、異常ログ記憶部７２では、紙幣処理部６０の異常状態に関わる異常検出ログ７２Ａに対応付けて、この異常状態に関わる電源電圧側の電圧異常データ７２Ｂを記憶管理することになる。
【００７４】
尚、請求項記載の貨幣処理装置は、例えば、紙幣処理装置１、電源部は、例えば、商用電源３０、電圧監視部は、例えば、電圧監視部５０、記憶部は、例えば、電圧記憶部５５及び異常ログ記憶部７２、制御部は、例えば、電圧監視制御部５６及び制御部７３、電圧監視情報記憶部は、例えば、電圧記憶部５５、ログ記憶部は、例えば、異常ログ記憶部７２、識別部は、例えば、入金識別部１４や出金識別部１７、分岐部は、例えば、分岐部２０等に夫々対応するものである。
【００７５】
次に、本実施例の紙幣処理装置１の動作について説明する。図６は、電源監視部５０の電源電圧データ記憶処理に関わる電圧監視制御部５６内の処理動作を示すフローチャートである。
【００７６】
図６に示す電圧データ記憶処理とは、商用電源部３０及び主電源部４０間の電源電圧を常時監視し、その監視結果である電源電圧データを電圧記憶部５５内に順次記憶する処理である。
【００７７】
電圧監視制御部５６は、ゼロクロス検出部５１を通じて、電源電圧波形１００の半周期毎のゼロクロス位置１０１を検出すると（ステップＳ１１）、このゼロクロス位置１０１検出の現在時刻を電圧監視時刻として取得する（ステップＳ１２）。
【００７８】
電圧監視制御部５６は、電圧監視時刻を取得すると、サンプリング検出部５２を通じて、半周期分の電源電圧波形１００に対するサンプリング動作を開始し（ステップＳ１３）、電源電圧の所定タイミング（サンプリングデータ単位）で実サンプリング値Ｘを取得する（ステップＳ１４）。
【００７９】
更に、電圧監視制御部５６は、電圧判定部５４を通じて、サンプリングデータ単位で同一タイミングの実サンプリング値Ｘと基準波形データメモリ５３に記憶された基準サンプリング値とを比較する（ステップＳ１５）。
【００８０】
電圧監視制御部５６は、この比較結果に基づき、実サンプリング値Ｘが基準上限閾値１００Ａ及び基準下限閾値１００Ｂの基準閾値範囲以内にあるか否かを判定する（ステップＳ１６）。
【００８１】
電圧監視制御部５６は、実サンプリング値Ｘが基準閾値範囲以内の場合（ステップＳ１６肯定）、電源電圧が正常と判断し、ゼロクロス検出部５１を通じて、次のゼロクロス位置１０１を検出したか否かを判定する（ステップＳ１７）。
【００８２】
電圧監視制御部５６は、次のゼロクロス位置１０１を検出しなかった場合（ステップＳ１７否定）、次のサンプリングデータ単位の実サンプリング値Ｘを取得すべく、ステップＳ１４に移行する。
【００８３】
また、電圧監視制御部５６は、ステップＳ１６にて実サンプリング値Ｘが基準閾値範囲以内でない場合（ステップＳ１６否定）、電源電圧が異常と判断し、異常フラグを“１”に設定し（ステップＳ１８）、次のゼロクロス位置１０１を検出したか否かを判定すべく、ステップＳ１７に移行する。
【００８４】
更に、電圧監視制御部５６は、ステップＳ１７にて次のゼロクロス位置１０１を検出した場合（ステップＳ１７肯定）、今回の半周期分の電源電圧波形１００の実サンプリング値Ｘ１〜Ｘ９の比較動作が完了、すなわち次の半周期分の電源電圧波形１００が到来したものと判断する。
【００８５】
電圧監視制御部５６は、今回の半周期分の電源電圧波形の実サンプリング値Ｘ１〜Ｘ９の比較動作が完了したものと判断すると、今回の半周期分の電圧監視時刻、電源電圧波形１００及び電圧異常有無、すなわち時刻データ５５Ｂ、波形データ５５Ｃ及び異常フラグ５５Ａを含む電源電圧データを電圧記憶部５５に記憶し（ステップＳ１９）、次の半周期分の電源電圧波形１００の電圧監視時刻を取得すべく、ステップＳ１２に移行する。
【００８６】
尚、電源電圧データの時刻データ５５Ｂは、ステップＳ１２で取得した電圧監視時刻、波形データ５５Ｃは、ステップＳ１１でゼロクロス位置１０１を検出した時点から順次取り込んだ半周期分の電源電圧波形１００、異常フラグ５５Ａは、電源電圧異常の場合、ステップＳ１８で設定した“１”、電源電圧正常の場合、“０”に相当するものである。
【００８７】
図６に示す電源電圧データ記憶処理では、商用電源３０及び主電源部４０間の電源電圧を常時監視し、半周期単位で各実サンプリング値Ｘ１〜Ｘ９の内、一つの実サンプリング値Ｘが基準閾値範囲以内でない場合、この半周期分の電源電圧波形１００を電源電圧異常と判断し、電源監視時刻を示す時刻データ５５Ｂ、この電源電圧波形１００の波形データ５５Ｃ及び“１”の異常フラグ５５Ａを含む電源電圧データを電圧記憶部５５に記憶する。その結果、電源電圧異常の電源電圧データを電圧監視時刻単位で管理できる。
【００８８】
また、電源電圧データ記憶処理では、半周期単位で全実サンプリング値Ｘ１〜Ｘ９が基準閾値範囲以内の場合、この半周期分の電源電圧波形１００を電源電圧正常と判断し、時刻データ５５Ｂ、波形データ５５Ｃ及び“０”の異常フラグ５５Ａを含む電源電圧データを電圧記憶部５５に記憶する。その結果、電源電圧正常の電源電圧データを電圧監視時刻単位で管理できる。
【００８９】
次に、メイン制御部７０側の電圧異常データ要求処理について説明する。図７は、メイン制御部７０の電圧異常データ要求処理に関わる制御部７３内部の処理動作を示すフローチャートである。
【００９０】
図７に示す電圧異常データ要求処理とは、紙幣処理部６０の異常状態を検出すると、この異常検出時刻付近の時間帯の電源電圧の状態を問い合せ、その問合せ結果に基づき、電源電圧異常の電源電圧データを電圧異常データとして、異常状態に関わる異常検出ログ７２Ａに対応付けて異常ログ記憶部７２に記憶する処理である。
【００９１】
図７において制御部７３は、異常検出部７１を通じて紙幣処理部６０の異常状態を検出したか否かを判定する（ステップＳ３１）。
【００９２】
制御部７３は、紙幣処理部６０の異常状態を検出した場合（ステップＳ３１肯定）、ログ記憶制御部７３Ａを通じて、この異常状態の異常検出時刻７２Ｃ及び異常状態の内容であるエラー内容７２Ｄを異常検出ログ７２Ａとして異常ログ記憶部７２に記憶する（ステップＳ３２）。
【００９３】
更に、制御部７３は、この紙幣処理部６０の異常状態に対応する電圧異常データを要求する電圧異常データ要求を電圧監視部５０に通知する（ステップＳ３３）。尚、電圧異常データ要求は、電源電圧の対象時刻を指定する、異常状態の異常検出時刻付近の時間帯を含むものである。また、異常検出時刻付近の時間帯とは、例えば、異常検出時刻から３分前までの時間帯に相当するものである。
【００９４】
更に、制御部７３は、ステップＳ３３の電圧異常データ要求通知後、所定時間内に、電圧異常データ要求に対応する電圧異常データを電圧監視部５０から受信したか否かを判定する（ステップＳ３４）。尚、電圧異常データは、電源電圧異常の電圧監視時刻に相当する時刻データ５５Ｂ及び、同電源電圧波形を示す波形データ５５Ｃ等を含むものである。
【００９５】
制御部７３は、所定時間内に電圧異常データを受信した場合（ステップＳ３４肯定）、この紙幣処理部６０の異常状態に関わる異常検出ログ７２に対応付けて、受信した電圧異常データを異常ログ記憶部７２に記憶し（ステップＳ３５）、図７に示す処理動作を終了する。すなわち、異常ログ記憶部７２には、ステップＳ３１で検出した異常状態に関わる異常検出ログ７２Ａに対応付けて、異常状態の異常検出時刻付近の時間帯での電源電圧異常に関わる電圧異常データ７２Ｂが記憶されたことになる。
【００９６】
また、制御部７３は、所定時間内に電圧異常データを受信しなかった場合（ステップＳ３４否定）、電源監視部５０から異常なしを受信し、異常検出時刻付近の時間帯の電源電圧が異常なしと判断し、図７に示す処理動作を終了する。
【００９７】
また、制御部７３は、異常検出部７１を通じて紙幣処理部６０の異常状態を検出しなかった場合（ステップＳ３１否定）、図７に示す処理動作を終了する。
【００９８】
図７に示す電圧異常データ要求処理では、紙幣処理部６０の異常状態を検出すると、異常検出ログ７２Ａを異常ログ記憶部７２に記憶し、異常状態の検出時刻付近の電源電圧異常を電圧監視部５０に問合せ要求し、異常状態の検出時刻付近の電源電圧が異常の場合、この異常状態の異常検出ログ７２Ａに対応付けて電圧異常データを異常ログ記憶部７２に記憶する。その結果、貨幣処理部６０の異常状態が発生したとしても、貨幣処理部６０の異常状態と、その周辺時間帯での電源電圧異常の電圧異常データとの関連性根拠を確保しながら、紙幣処理部６０の異常状態が電源電圧異常に起因したか否かを判別可能とし、これら関連性を評価することで、今後、電源電圧異常に起因する紙幣処理部６０の異常状態防止に対する対策検討に大いに役立つ。
【００９９】
また、電圧異常データ要求処理では、異常状態の検出時刻付近の電源電圧が正常の場合、この異常状態の異常検出ログ７２Ａに対応付けての電源電圧データの異常ログ記憶部７２への記憶を禁止する。その結果、電源電圧異常がなく、紙幣処理部６０の異常状態と電源電圧異常との関連性がないような無駄な記憶を防止することで、異常ログ記憶部７２に対する記憶容量を節減できる。
【０１００】
次に、メイン制御部７０からの電圧異常データ要求に対する電圧異常データ要求応答処理について説明する。図８は、電圧監視部５０の電圧異常データ要求応答処理に関わる電圧監視制御部５６内部の処理動作を示すフローチャートである。
【０１０１】
図８に示す電圧異常データ要求応答処理とは、メイン制御部７０からの電圧異常データ要求を検出すると、当該紙幣処理部６０の異常状態の異常検出時刻付近の時間帯での電源電圧異常があった場合、その電圧異常データをメイン制御部７０に通知する処理である。
【０１０２】
図８に示す電圧監視制御部５６は、メイン制御部７０からの電圧異常データ要求を受信したか否かを判定する（ステップＳ４１）。
【０１０３】
電圧監視制御部５６は、電圧異常データ要求を受信した場合（ステップＳ４１肯定）、異常状態を検出した異常検出時刻付近の時間帯の電源電圧データの内、電源電圧異常の電圧異常データがあるか否かを判定する（ステップＳ４２）。尚、電圧監視制御部５６は、電圧記憶部５５に記憶された電源電圧データの時刻データ５５Ｂに基づき、異常検出時刻付近の時間帯の電源電圧データを検索し、これら検索した時間帯の電源電圧データの“１”の異常フラグ５５Ａに基づき、異常検出時刻付近の時間帯の電圧異常データを検出するものである。
【０１０４】
電圧監視制御部５６は、電源電圧データ内に電圧異常データがある場合（ステップＳ４２肯定）、その電圧異常データを電圧異常データ要求に対する応答内容としてメイン制御部７０に通知し（ステップＳ４３）、図８に示す処理動作を終了する。
【０１０５】
また、電圧監視制御部５６は、電圧異常データ要求を受信しなかった場合（ステップＳ４１否定）、図８に示す処理動作を終了する。
【０１０６】
また、電圧監視制御部５６は、電源電圧データ内に電圧異常データがない場合（ステップＳ４３否定）、この時間帯の電源電圧は正常と判断し、電圧異常データ要求に対する応答内容として異常なしをメイン制御部７０に通知し（ステップＳ４５）、図８に示す処理動作を終了する。
【０１０７】
図８に示す電圧異常データ要求応答処理では、メイン制御部７０から電圧異常データ要求を検出すると、この電圧異常データ要求に含まれる異常検出時刻付近の時間帯に対応する、電圧記憶部５５に記憶された電源電圧データ内に電圧異常データがある場合、この電圧異常データをメイン制御部７０に通知する。その結果、メイン制御部７０では、異常検出時刻付近の時間帯に対応する電圧異常データを取得できる。
【０１０８】
また、電圧異常データ要求応答処理では、異常検出時刻付近の時間帯に対応する、電圧記憶部５５に記憶された電源電圧データ内に電圧異常データがない場合、異常なしをメイン制御部７０に通知する。その結果、メイン制御部７０では、異常検出時刻付近の時間帯で電源電圧が正常であったことを認識できる。
【０１０９】
本実施例では、紙幣処理部６０に関わる異常状態の異常検出時刻付近の時間帯で電圧異常データがあった場合、この電圧異常データを、異常状態に関する異常検出ログ７２Ａと関連付けて異常ログ記憶部７２に記憶する。その結果、本実施例では、紙幣処理部６０の異常状態が発生したとしても、紙幣処理部６０の異常状態（異常検出ログ７２Ａ）と、その異常検出時刻付近の時間帯の電圧異常データ７８Ｂとの関連性根拠を確保しながら、紙幣処理部６０の異常状態が電源電圧異常に起因したか否かを判別可能とし、これら関連性を評価することで、今後、電源電圧異常に起因する紙幣処理部６０の異常状態防止に対する対策検討に大いに役立つ。
【０１１０】
本実施例では、異常状態の異常検出時刻付近の時間帯で電圧異常データがなかった場合、正常な電源電圧データと異常状態に関する異常検出ログ７２Ａとを関連付けての異常ログ記憶部７２への記憶を禁止する。その結果、本実施例では、電源電圧異常がなく、紙幣処理部６０の異常状態と電源電圧異常との関連性がないような無駄な記憶を防止することで、異常ログ記憶部７２の記憶容量を節減できる。
【０１１１】
本実施例では、異常状態の異常検出時刻付近の時間帯を、紙幣処理部６０での異常状態が検出された時点（異常検出時刻）及び、その時点直前の時間帯を含む時間帯としたので、異常状態が検出された時点及び、その時点直前の時間帯を含む時間帯の電圧異常データを異常検出ログ７２Ａと対応付けて異常ログ記憶部７２に記憶できる。
【０１１２】
本実施例では、異常状態の異常検出時刻付近の時間帯で電圧異常データを電圧記憶部５５から検索し、この検索した電圧異常データを異常検出ログ７２Ａに関連付けて異常ログ記憶部７２に記憶する。その結果、本実施例では、紙幣処理部６０の異常状態が発生したとしても、紙幣処理部６０の異常状態（異常検出ログ７２Ａ）と電圧異常データとの関連性根拠を確保しながら、その異常状態が電源電圧異常に起因したか否かを判別可能とし、今後、電源電圧異常に起因する紙幣処理部６０の異常状態防止に対する対策検討に大いに役立つ。
【０１１３】
本実施例では、例えば、入金識別部１３や出金識別部１７の識別エラーが発生したとしても、この識別エラーと電圧異常データとの関連性根拠を確保しながら、その識別エラーが電源電圧異常に起因したか否かを判別可能とし、今後、電源電圧異常に起因する識別エラー防止に対する対策検討に大いに役立つ。
【０１１４】
本実施例では、分岐部２０の分岐エラーが発生したとしても、この分岐エラーと電圧異常データとの関連性根拠を確保しながら、その分岐エラーが電源電圧異常に起因するか否かを判別可能とし、今後、電源電圧異常に起因する分岐エラー防止に対する対策検討に大いに役立つ。
【０１１５】
本実施例では、図示せぬメカ制御部のエラーが発生したとしても、このメカ制御エラーと電圧異常データとの関連性根拠を確保しながら、そのメカ制御エラーが電源電圧異常に起因したか否かを判別可能とし、今後、電源電圧異常に起因するメカ制御エラー防止に対する対策検討に大いに役立つ。
【０１１６】
また、本実施例では、例えば、入金識別部１３のリジェクト等の識別不能エラーが発生したとしても、この識別不能エラーと電圧異常データとの関連性根拠を確保しながら、その識別不能エラーが電源電圧異常に起因したか否かを判別可能とし、今後、電源電圧異常に起因する識別不能エラー防止に対する対策検討に大いに役立つ。
【０１１７】
本実施例では、電源電圧データが電圧監視時刻を示す時刻データ５５Ｂ及び、この電圧監視時刻に検出した電源電圧波形を示す波形データ５５Ｃを含むようにしたので、電源電圧異常を含む電源電圧を電圧監視時刻単位で認識できる。
【０１１８】
本実施例では、電源電圧データが、時刻データ５５Ｂ及び波形データ５５Ｃの他に、異常フラグ５５Ａを含むようにしたので、異常フラグ５５Ａに基づき、電圧監視部５０の電圧記憶部５５から電源電圧異常の電圧異常データを簡単に検索できる。
【０１１９】
本実施例では、電源電圧波形が基準波形データから基準上限閾値１００Ａ及び基準下限閾値１００Ｂの基準閾値範囲内から乖離した場合、電源電圧異常と判断することで、電圧監視部５０側で電源電圧の電源電圧異常を簡単に認識できる。
【０１２０】
尚、上記実施例では、紙幣処理部６０の異常状態を検出すると、リアルタイムに異常状態の異常検出時刻付近の時間帯の電源電圧異常を電圧監視部５０に問合せすべく、電圧異常データ要求を実行するようにしたが、例えば、紙幣処理部６０の紙幣計算ミスの異常状態の場合、紙幣処理部６０の紙幣処理実行後、事後的に異常状態を検出するような場合も生ずる。
【０１２１】
そこで、本実施例の紙幣処理装置１では、紙幣処理部６０の異常状態を事後的に検出したとしても、紙幣計算時の時間帯が判明している場合には、その紙幣計算時の時間帯を、入力操作で異常検出ログ７２Ａとして異常ログ記憶部７２に記憶する。そして、その紙幣計算時付近の時間帯で電源電圧異常を問い合せるべく、電圧異常データ要求を実行する。そして、電圧監視部５０が、紙幣計算時、すなわち異常検出時刻付近の電圧異常データがあった場合、メイン制御部７０は、電圧監視部５０からの電圧異常データを紙幣計算ミスの異常検出ログ７２Ａに対応付けて異常ログ記憶部７２に記憶することになる。
【０１２２】
その結果、紙幣処理装置１では、紙幣処理部６０の異常状態が事後に判明したとしても、紙幣処理部６０の異常状態（紙幣計算ミスの異常検出ログ７２Ａ）と、その異常検出時刻付近の時間帯の電圧異常データとの関連性根拠を確保しながら、事後に判明した紙幣計算ミスが電源電圧異常に起因したか否かを判別可能とし、今後、電源電圧異常に起因する紙幣処理部６０の異常状態防止に対する対策検討に大いに役立つ。
【０１２３】
また、上記実施例においては、紙幣を取り扱う紙幣処理装置１を例に挙げて説明したが、硬貨を取り扱う装置、更には、紙幣及び硬貨両方を取り扱う装置であっても、同様の効果が得られることは言うまでもない。
【０１２４】
また、上記実施例においては、列車運行状況に応じて電源電圧の変動が生じる駅構内の環境下で使用した場合を例に挙げて説明したが、電源電圧の変動が生じる自家発電設備を備えた施設や、そもそも商用電源自体に電源電圧の変動が生じるような、電力事情が良くない諸外国等の環境下に配置したとしても、同様の効果が得られることは言うまでもない。
【０１２５】
また、上記実施例においては、電圧監視部５０を通じて商用電源３０及び主電源部４０間の電源電圧を監視するようにしたが、主電源部４０及び紙幣処理部６０間の電源電圧を監視、又は、商用電源３０及び主電源部４０間の電源電圧及び、主電源部４０及び紙幣処理部６０間の電源電圧双方を監視したとしても、同様の効果が得られることは言うまでもない。
【０１２６】
また、上記実施例においては、電圧監視部５０側で電源電圧の電源電圧データを順次記憶する電圧記憶部５５をリングバッファ方式で構成するようにしても良く、この場合、電圧記憶部５５の記憶容量が満杯になると、記憶された最古の電源電圧データを消去しながら、最新の電源電圧データを順次記憶することになるため、電圧記憶部５５を安価な構成とすることができる。
【０１２７】
また、上記実施例においては、電圧記憶部５５及び異常ログ記憶部７２を別個にしたが、１個の記憶部で構成するようにしても良く、また、同様に、電圧監視制御部５６及び制御部７３を１個の制御部で構成するようにしても良いことは言うまでもない。
【０１２８】
また、上記実施例においては、異常検出時刻付近の時間帯を、一律、異常検出時刻から３分前までの時間帯としたが、異常状態のエラー内容に応じて時間帯の範囲を適宜変更するようにしても、同様の効果が得られることは言うまでもない。
【０１２９】
以上、上記実施例について説明したが、本実施例によって本願の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【０１３０】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【０１３１】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【０１３２】
さらに、各装置で行われる各種処理機能は、ＣＰＵ（Ｃｅｎｔｒａｌ  Ｐｒｏｃｅｓｓｉｎｇ  Ｕｎｉｔ）、（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【産業上の利用可能性】
【０１３３】
本発明の貨幣処理装置及び貨幣処理装置の電圧異常ログ管理方法では、貨幣処理部の異常状態が発生したとしても、貨幣処理部の異常状態と電源電圧異常との関連性根拠を確保しながら、貨幣処理部の異常状態が電源電圧異常に起因したか否かを判別可能とし、これら関連性を評価することで、今後、電源電圧異常に起因する貨幣処理部の異常状態防止に対する対策検討に役立つことができるため、例えば、紙幣処理装置等に有用である。
【符号の説明】
【０１３４】
１  紙幣処理装置
１３  入金識別部
１７  出金識別部
２０  分岐部
２１  リジェクト部
３０  商用電源
５０  電圧監視部
５５  電圧記憶部
５５Ａ  異常フラグ
５５Ｂ  時刻データ
５５Ｃ  波形データ
５６  電圧監視制御部  
６０  紙幣処理部
７１  異常検出部
７２  異常ログ記憶部
７３  制御部
【図１】
2010282428.tif 000003
【図２】
2010282428.tif 000004
【図３】
2010282428.tif 000005
【図４】
2010282428.tif 000006
【図５】
2010282428.tif 000007
【図６】
2010282428.tif 000008
【図７】
2010282428.tif 000009
【図８】
2010282428.tif 000010